(57)【要約】【目的】屋根用シートを容易に張付可能な屋根用シートの取り付け構造を、提案すること。【構成】複数の支柱間にパンタグラフ機構を介在させ、もって前後方向に伸縮自在とした側壁用骨組構造物を構成し、左右方向において対向する支柱間に、屋根用骨組構造物を介在させ、隣接する屋根用骨組構造物毎に、分割された屋根用シートを張付した伸縮型テントにおける屋根用シートの取り付け構造において、屋根用構造物を構成する梁材の両端に、一部が開放された円筒形部を長手方向にわたり設け、テント伸展時の隣接する屋根用構造物間の距離より長い幅を有する屋根用シートの両端に、長手方向にわたりロープを取り付け、該屋根用シートの長手方向にわたり対向する布片を一対設けると共に該布片に孔部を複数設け、対向する孔部間にわたり紐材を掛け渡して構成した。【選択図】        図９
2020016085.tif 000002
【特許請求の範囲】
【請求項１】
複数の支柱間にパンタグラフ機構を介在させ、もって前後方向に伸縮自在とした側壁用骨組構造物を構成し、左右方向において対向する支柱間に、屋根用骨組構造物を介在させ、隣接する屋根用骨組構造物毎に、分割された屋根用シートを張付した伸縮型テントにおける屋根用シートの取り付け構造であって、
屋根用構造物を構成する梁材の両端に、一部が開放された円筒形部を長手方向にわたり設けたこと、
テント伸展時の隣接する屋根用構造物間の距離より長い幅を有する屋根用シートの両端に、長手方向にわたりロープを取り付けたこと、
該屋根用シートの長手方向にわたり対向する布片を一対設け、該布片に孔部を複数設けたこと、
対向する孔部間にわたり紐材を掛け渡したこと、
を特徴とする伸縮型テントにおける屋根用シートの取り付け構造。
【請求項２】
紐材が、一方端に貫通孔を備えた緊締部材を取り付け紐体である請求項１に記載の屋根用シートの取り付け構造。
【発明の詳細な説明】
【技術分野】
【０００１】
本願出願人は特許文献１において、伸縮自在な大型テントを開示した。この大型テントは、下端に車輪を備えた複数の支柱間にパンタグラフ機構を介在させることで前後方向に伸縮自在とした側壁用骨組構造物を用いて側壁を構成し、左右方向において対向する支柱間に、屋根用骨組構造物を介在させ、前後方向に隣接する支柱毎に分割された側壁用シートを張付し、隣接する屋根用骨組構造物毎に分割された屋根用シートを張付して構成されたものである。
【０００２】
本願は上記伸縮型テントにおける、屋根用シートの取り付け構造に関するものである。
【背景技術】
【０００３】
特許文献１に記載の伸縮型テントの構造を、図面を参照しながら以下に概説する。なお、図中Ｒは右方向をＬは左方向を示すものである。
【０００４】
図１は、本発明にかかる伸縮型テント１の骨組構造物を正面側から示したものであり、図３は同骨組構造物を平面側から示したものである。左右方向に対向して対に設けられた支柱４，４間にわたり、屋根用骨組構造物３が複数介在させてある。
【０００５】
図４は屋根用骨組構造物３の正面図である。屋根用骨組構造物３は、水平方向の梁材１０と斜め方向の梁材１１の間に縦杆３ａを複数介在させることで構成してある。なお、図４は屋根の形状を片流れにする際の屋根用構造物を示しており、屋根の形状を両流れとする際には、図５に示すように片流れ形状の屋根用構造物を一対接合すればよい。なお、図５は反時計回り方向に９０度回転させて作図してある。
【０００６】
図７は屋根用シート２０の正面図であり、図８は同背面図である。当該屋根用シート２０は隣接する屋根用構造物３，３間毎に張付して伸縮型テント１の屋根を覆うものである。
【０００７】
図２は、本発明にかかる伸縮型テント１の骨組構造物を側面側から示したものである。複数の支柱４間にパンタグラフ機構５が介在させてあり、前後方向（図中矢印方向）に伸縮自在なものである。
【０００８】
図６は側壁用構造物の一部斜視図である。支柱４は２本の板部材４ａ，４ａを支持板４ｂ上に立設したものであり、その下部には車輪８が取付けられている。
【０００９】
支柱４，４間にはパンタグラフ機構５が介在されてある。パンタグラフ機構５は多数の斜杆５ａをＸ字状に組み合わせたものであり、当該斜杆５ａ同士は交差部位において枢軸５ｂにより枢支されるものである。なお、支柱４とパンタグラフ機構５の取付方法は上端あるいは下端にくる枢軸５ｂと支柱４を固定し、固定した側と反対側端部の枢軸５ｂと支柱４は、支柱に設けた溝部を枢軸５ｂが上下方向に摺動可能に設けるものである。係る構造とすることでパンタグラフ機構５が伸縮自在となるものである。
【００１０】
支柱４、パンタグラフ機構５及び屋根用骨組構造物３をアルミニウム合金製とすることが好ましい。これにより耐久性が著しく向上すると共に軽量で搬送も極めて容易なものとなすことが可能となる。また、溶接やリベットを使わず、全て螺子やボルト留めにすれば、更に耐久性に優れたものとなすことが可能である。
【先行技術文献】
【特許文献】
【００１１】
【特許文献１】特開２０１４−１０５５０４号公報
【発明の開示】
【発明が解決しようとする課題】
【００１２】
図１０は従来の屋根用シート９を、上記背景技術に記載の伸縮型テント１に張付する過程を示すものである。屋根用シート９の両端にはロープ９ａ，９ａが取り付けられており、該ロープ９ａ，９ａを、それぞれ屋根用構造物３を構成する梁材１１の両端長手方向に設けられた円筒形部１２，１２に挿入して 引張り、屋根用シート９を梁材１１に張付するものである。
【００１３】
この際、隣接する屋根用構造物３，３間の距離Ｈ１と、屋根用シート１１の幅Ｈ２はおおむね等しく形成してある。なぜならＨ２がＨ１より大きいと、屋根用シート１１を張付した際に弛みが生じてしまい、当該弛んだ場所に水が溜まってしまうといった不都合が生じるからである。
【００１４】
ところが、Ｈ２とＨ１が略等しいと、屋根用シート９を張る作業が難しいという難点がある。つまり二本のロープ９ａ，９ａを円筒形部１２，１２に挿入して 引張る際に、両方のロープ９ａ，９ａを均等に引張る必要性があり、かかる作業は施工者にとって困難なものである。
【００１５】
そこで本発明は、屋根用シートを容易に張付可能な屋根用シートの取り付け構造を、提案することを目的とする
【課題を解決するための手段】
【００１６】
上記の目的を達成する本発明の構成は以下の通りである。
【００１７】
（１) 請求項１に記載の発明は、複数の支柱間にパンタグラフ機構を介在させ、もって前後方向に伸縮自在とした側壁用骨組構造物を構成し、左右方向において対向する支柱間に、屋根用骨組構造物を介在させ、隣接する屋根用骨組構造物毎に、分割された屋根用シートを張付した伸縮型テントにおける屋根用シートの取り付け構造において、屋根用構造物を構成する梁材の両端に、一部が開放された円筒形部を長手方向にわたり設け、テント伸展時の隣接する屋根用構造物間の距離より長い幅を有する屋根用シートの両端に、長手方向にわたりロープを取り付け、該屋根用シートの長手方向にわたり対向する布片を一対設けると共に該布片に孔部を複数設け、対向する孔部間にわたり紐材を掛け渡して構成した。
【００１８】
（２) 請求項２に記載の発明は、請求項１に記載の屋根用シートの取り付け構造において、紐材を一方端に貫通孔を備えた緊締部材を取り付け紐体として構成した。
【発明の効果】
【００１９】
上記のように構成される本発明が、如何に作用して課題を解決するかを図面を参照しながら概説する。なお、各図におけるＵは上方向をＤは下方向をＲは右方向をＬは左方向を示すものである。
【００２０】
図９は本発明に係る屋根用シート２０を、上記背景技術に記載の伸縮型テント１に張付する過程を示すものである。屋根用シート２０の両端にはロープ２１，２１が取り付けられており、該ロープ２１,２１を、それぞれ屋根用構造物３を構成する梁材１１の両端長手方向に設けられた円筒形部１２，１２に挿入して 引張り、屋根用シート２０を梁材１１に張付するものである。当該屋根用シート２０は隣接する屋根用構造物３，３間毎に張付して伸縮型テント１の屋根を覆うものである。
【００２１】
この際、隣接する屋根用構造物３，３間の距離Ｈ１よりも、屋根用シート２０の幅Ｈ３を長尺に形成してある。かかる構造とすることでロープ２１，２１を引張り、梁材１１に張付する作業が容易なものとなるのである。すなわち、上述の通り屋根用構造物３，３間の距離と屋根用シートの幅が略等しいと、二本のロープを均等に引張らないと屋根用シートを屋根用構造物間に張付することは困難であるが、本発明のように屋根用シート２０の幅Ｈ３を長尺とするとロープ２１，２１の片方がある程度先行して引張られても張付作業を行うことが可能となり、施工の困難性が緩和されるものである。
【００２２】
但し、幅Ｈ３が長尺となると、屋根用シート２０を梁材１１，１１間に張付した際に、図９や図１１に示すようにその中央部に弛みＡが発生することになり。かかる弛みＡが存在すると、雨水が溜まるといった不都合が生じる。そこで本発明においては屋根用シート２０の長手方向にわたり対向する布片２２を一対設けると共に、該布片２２に孔部２２ａを複数設け、対向する孔部２２ａ，２２ａ間にわたり紐材３０を掛け渡して構成した。
【００２３】
かかる構成とすることで、図１１に示す弛みＡが下方に生じた状態で紐３０を締めると、すなわち紐３０の下方端を下方に引っ張ると、布片２２,２２間の距離が縮まり、図１２に示すように弛みＡがなくなり、逆に上方に向かい、隆起箇所Ｂが生じるものである。すなわち雨水が溜まるといった不都合を解消可能なものである。なお、紐３０の締め方は、両端を結ぶといった方法でもよいし、図１３に示すように紐材３０の一方端に貫通孔３２を備えた緊締部材３１を取り付け、該貫通孔３２に紐材３０の他方端を挿入し、該挿入した他方端を引張るといった方法でもよい。
【図面の簡単な説明】
【００２４】
【図１】伸縮型テントの骨組構造物の正面図
【図２】同、側面図
【図３】同、平面図
【図４】屋根用骨組構造物の正面図
【図５】両流れ形状とした屋根用骨組構造物の正面図
【図６】側壁用構造物の一部斜視図
【図７】屋根用シートの正面図
【図８】屋根用シートの背面図
【図９】屋根用シートを、従来の伸縮型テントに張付する過程を示す説明図。
【図１０】屋根用シートを、本発明の伸縮型テントに張付する過程を示す説明図。
【図１１】屋根用シートの張付方法を示す説明図
【図１２】屋根用シートの張付方法を示す説明図
【図１３】紐材の説明図
【図１４】梁材の正面図
【図１５】梁材の右側面図
【発明を実施するための形態】
【００２５】
以下、好ましい本発明の実施形態につき、図面を参照しながら概説する。なお、本発明構成要素の実施形態は下記の実施形態に何ら限定されることはなく、本発明の技術的範囲に属する限り種々の形態を採りうる。
【００２６】
本発明は屋根用シートの取り付け構造を除く部分は、上記背景技術の項に挙げた特許文献１記載の発明と同一である。そこで以下、屋根用シートの取り付け構造に関する部分について詳述する。
【００２７】
本発明に係る屋根用シートの取り付け構造の主な構成要素は、梁材１１と屋根用シート２０である。
【００２８】
梁材１１は、図１４や図１５に示すように一部が開放された円筒形部１２を長手方向にわたり設けた板材であり、左右端に下方に伸びる脚部１３，１３が設けられている。なお１２ａが開放部位である。
【００２９】
円筒形部１２には、まず屋根用シート２０のロープ２１が挿入され、該挿入されたロープ２１を引張ることで屋根用シート２０が円筒形部２１内に装入されるものである。
【００３０】
脚部１３は支柱４に梁材１１を取り付けるための部材である。具体的には、図９に示すように支柱４を構成する２本の板部材４ａ，４ａの上端に、下方に延設された凸片１４ａを備えた板材１４を、該凸片１４ａが板部材４ａ，４ａ間に嵌合される形態で取り付け、該板材１４の上部が脚部１３，１３間に嵌め込まれる形態で支柱４と梁材１１を固定するものである。
【００３１】
梁材１１は軽量のアルミニウム合金を、押し出し成型によって製造されたものである。
【００３２】
屋根用シート２０は、図７や図８に示すように縦長方形のシート材２３の左右端に、それぞれロープ２１,２１が取り付けて形成してある。ロープ２１のシート材２３への取り付け方法は、図１１や図１２に示すように、シート材２２の左右両端にそれぞれ空洞部２３ａ、２３ａを設け、該空洞部２３ａ、２３ａにそれぞれロープ２１，２１を挿入するものである。屋根用シート２０を梁材１１に装着する際には、ロープ２１，２１をそれぞれ隣接する梁材１１の円筒形部１２,１２に挿入するものである。
【００３３】
シート材２３の裏面には長手方向にわたり、対向する縦長方形の布片２２,２２が一対並行して設けてある。布片２２は孔部２２ａが長手方向に連続して複数設けられており、この孔部２２ａには鳩目２４が嵌め込まれている。シート材２３の材質としては通常のテントに使用される幕布を使用すればたり、具体的にはターポリン、エステル帆布、ポリエステル等を利用可能である。
【００３４】
図８や図１１、図１２に示すように対向する孔部２２ａ，２２ａ間にわたり紐材３０が掛け渡してある。図８においては三か所にのみ紐材３０が掛け渡してあるが、これは図面を見やすくするための例示であり、実際は多数ヶ所に紐材３０を掛け渡してある。紐材３０としてはロープやチェーンなどを利用可能である。
【００３５】
図１３は請求項２に記載の紐材３０の説明正面図である。請求項２に記載の紐材３０は、その一方端に貫通孔３２を備えた直方体形状の緊締部材３１を取り付け、該貫通孔３２に紐材３０の他方端を挿入して形成してある。緊締部材３１は直方体形状に限定されるものではなく、立方体形状や球状でも構わない。
【符号の説明】
【００３６】
１１・・梁材
２０・・屋根用シート
２１・・ロープ
２２・・布片
２２ａ・・孔部
３０・・紐材
【図１】
2020016085.tif 000003
【図２】
2020016085.tif 000004
【図３】
2020016085.tif 000005
【図４】
2020016085.tif 000006
【図５】
2020016085.tif 000007
【図６】
2020016085.tif 000008
【図７】
2020016085.tif 000009
【図８】
2020016085.tif 000010
【図９】
2020016085.tif 000011
【図１０】
2020016085.tif 000012
【図１１】
2020016085.tif 000013
【図１２】
2020016085.tif 000014
【図１３】
2020016085.tif 000015
【図１４】
2020016085.tif 000016
【図１５】
2020016085.tif 000017